【事件の表示】
　特願２００２−３２６８０１「自動販売機」拒絶査定不服審判事件〔平成１６年　４月　８日出願公開、特開２００４−１１０７６１〕について、次のとおり審決する。
【結　論】
　本件審判の請求は、成り立たない。
【理　由】
第１　手続の経緯・本件出願の発明
　本件出願は，特許法第４１条に基づく優先権主張を伴う平成１４年１１月１１日（優先日，平成１４年７月２４日）の特許出願であって，その請求項１ないし請求項４に係る発明は，平成１９年２月１４日付けの手続補正書によって補正された明細書及び図面の記載からみて，その特許請求の範囲の請求項１ないし請求項４に記載された事項により特定されるとおりのものであると認められるところ，請求項１に係る発明（以下「本件出願の発明」という。）は，次のとおりである。　
「商品を選択するための商品選択手段と，選択された商品を搬出するための商品搬出手段と，非接触式端末と常時交信可能な状態とする交信手段と，販売待機状態において先に商品選択手段による選択あるいは先に非接触式端末との交信かを判別する手段と，該手段により，販売待機状態において先に商品選択手段による選択であると判別したときには商品選択後に非接触式端末との決済を行い，販売待機状態において先に非接触式端末による交信であると判別したときには非接触式端末との交信が正常に行われた後，残額表示を行うとともに商品選択を促す手段とを備えてなることを特徴とする自動販売機。」
　
第２　引用例
１　引用例に記載の事項
　これに対して，原査定の拒絶の理由に引用された本件出願の優先日前に日本国内において頒布された刊行物である特開平１１−１４９５８３号公報（以下「引用例１」という。），特開平１０−２３２９６５号公報（以下「引用例２」という。），及び特開平５−１５１４３２号公報（以下「引用例３」という。）には，それぞれ図面と共に以下の記載がある。
　
（１）引用例１に記載の事項
　引用例１には以下の事項が記載されている。
「【特許請求の範囲】【請求項１】利用者の操作により，多種商品の中から前記利用者の指定する商品を販売するようにした自動販売機において，代金の投入を受ける代金受入手段と，前記利用者が前記商品を指定するための商品指定手段とを有し，前記利用者により，前記代金受入手段に対する代金の投入入力または前記商品指定手段に対する前記商品の指定入力のいずれが先になされた場合でも，前記入力を受け入れ，記憶することを特徴とする自動販売機。」
「【請求項５】請求項１乃至請求項４のいずれか１つに記載の自動販売機において，前記入力を受け入れ，記憶した時，他の前記入力を促す表示をする表示手段を有することを特徴とする自動販売機。
【請求項６】請求項１乃至請求項５のいずれか１つに記載の自動販売機において，一定の条件を満たす前記入力を全て受け入れ，記憶した時，前記商品を排出する商品排出手段を有することを特徴とする自動販売機。」
「【０００１】【発明の属する技術分野】この発明は，商品を無人で販売するようにした自動販売機に関する。更に詳しくは，多様な初操作により始動させることが可能な自動販売機に関する。」
「【０００８】この発明は上記事情に鑑みてなされたものであって，その目的は，利用者の様々な購入開始動作に対応して，自動販売機の動作を開始することの出来る自動販売機を提供することにある。
【０００９】【課題を解決するための手段】上記の目的を達成するために，請求項１に記載の発明では，利用者の操作により，多種商品の中から前記利用者の指定する商品を販売するようにした自動販売機において，代金の投入を受ける代金受入手段と，前記利用者が前記商品を指定するための商品指定手段とを有し，前記利用者により，前記代金受入手段に対する代金の投入入力または前記商品指定手段に対する前記商品の指定入力のいずれが先になされた場合でも，前記入力を受け入れ，記憶することを趣旨とする。
【００１０】上記の構成によれば，利用者が代金の投入を先に行なっても，あるいは，商品の指定を先に行なっても，いずれも自動販売機に対する入力として受け入れられ，有効となる。従って，自動販売機が利用者に入力順を指定する事なく，利用者の好みの順に入力することが出来るので，快適に使用できる。」
「【００２３】図１，２に示すように，この汎用自販機２は直方体形状をなすハウジング４を備え，そのハウジング４に設けられた商品表示部５及び操作パネル６を含む。商品表示部５は多種多様な商品３を異なる種類毎に配列表示するものである。図２に示すように，商品表示部５はその前面を覆うガラス７と，その中に配置された商品棚８と，商品取出用のロボット９とを備える。
【００２４】商品棚８は縦横に配列された複数の隔枠１０により区画される。各隔枠１０毎に種類の異なる商品３がそれぞれ複数個ずつ陳列される。これらの商品３はガラス７を通じて外部へ表示される。各隔枠１０は前方へ傾斜して配置される。このため，隔枠１０に陳列された商品３は，その自重により前方へ滑落可能をなす。隔枠１０はその前端に商品３のストッパ１１と，商品取出用のボタン１２とを有する。ストッパ１１は，隔枠１０における商品３の滑落を規制する。ボタン１２は，ストッパ１１による商品３の滑落規制を解除するために押圧されるものである。
【００２５】図２に示すように，ロボット９は水平駆動機構１３，垂直枠１４及び商品バケット１５を備える。水平駆動機構１３はハウジング４の底壁に沿って水平方向へ移動可能に設けられる。水平駆動機構１３上に設けられた垂直枠１４は，商品バケット１５を垂直方向へ移動可能に支持する。商品棚８に対向するように商品バケット１５に設けられた商品取出用のプッシュバー１６は，前述した各ボタン１２を押圧するものである。商品バケット１５は商品棚８から商品３を回収するものである。このバケット１５は回収された商品３を排出するための開閉扉（図示しない）を有する。
【００２６】図１に示すように，操作パネル６は操作案内表示板１７，紙幣挿入口１８，コイン挿入口１９，ディスプレイ２０，キーボード２１，タグ挿入口２２，商品取出口２３，つり銭口２４及びレシート取出口２５を備える。操作案内表示板１７はこの汎用自販機２の使用方法を文字で示すものである。紙幣挿入口１８は紙幣を，コイン挿入口１９はコインをそれぞれ挿入するためのものである。紙幣挿入口１８とコイン挿入口１９で本発明の代金受入手段に相当する。
【００２７】キーボード２１は，本発明の商品指定手段の一例に相当し，利用者が所望の商品３を指定するために商品番号を入力する際に操作されるものである。キーボード２１には，数字ボタン，確認ボタン及び取消ボタン等を含み，また，本発明の個数入力手段に相当する個数ボタンも含まれる。あるいは，キーボード２１により商品番号を入力する代わりに，指定商品を識別する情報を記録し，各商品３の近くに配列されている商品タグの挿入によっても商品指定手段とすることは可能である。タグ挿入口２２は，本発明の商品指定手段の他の一例に相当し，商品タグを挿入し，読み取らせるためのものである。」
「【００２９】図３は汎用自販機２の電気的構成を示すブロック図である。汎用自販機２は，前述したロボット９，キーボード２１及びディスプレイ２０の他に，コンピュータ２８，ロボット用コンピュータ２９，料金カウンタ３１，つり銭機３２及びレシート機３３を備える。コンピュータ２８及びロボット用コンピュータ２９は互いに接続される。キーボード２１，ディスプレイ２０，料金カウンタ３１，つり銭機３２及びレシート機３３は，コンピュータ２８に接続される。ロボット９はロボット用コンピュータ２９に接続される。
【００３０】キーボード２１は利用者により入力され，その操作結果をコンピュータ２８へ出力する。料金カウンタ３１は，紙幣挿入口１８又はコイン挿入口１９に挿入される紙幣等をカウントし，そのカウント結果をコンピュータ２８へ出力する。つり銭機３２は，つり銭に応じた紙幣，コインをつり銭口２４から払い出す。
【００３１】コンピュータ２８は記憶装置を含み，汎用自販機２全体の動作を制御するものであり，料金カウンタ３１のカウント結果及びキーボード２１の操作結果等を記憶し，レシート機３３，ディスプレイ２０及びつり銭機３２を制御する。また，コンピュータ２８は，入力され，決定した指定商品３の商品番号をロボット用コンピュータ２９へ出力する。コンピュータ２８は，これらの制御を予めその内部に格納された制御プログラムに基づいて実行する。
【００３２】ロボット用コンピュータ２９は，商品排出手段に相当し，予めその内部に格納された制御プログラムに基づいてロボット９の制御を実行する。このロボット用コンピュータ２９は，コンピュータ２８から出力される商品３の商品番号に基づいて利用者が指定した商品３の所在，即ち，商品棚８における商品３の配置場所を特定し，それに基づいてロボット９を制御する。具体的には，コンピュータ２９は水平駆動機構１３の移動，垂直枠１４に対する商品バケット１５の移動，プッシュバー１６の作動をそれぞれ制御するようになっている。」
「【００３４】利用者は，図４の手順にしたがって，まず，Ｓ１０に示すように，商品表示部５の前に立って商品３の品定めをする。即ち，利用者は，商品表示部５に配列表示された多種商品３の中から所望の商品３を決定する。ここでは，一つの商品３を決定することもあり，複数の商品３を決定することもある。そして利用者は，決定された商品３の商品番号を記憶またはメモする。あるいは，商品３の近くに配列されている商品タグを手に取る。次に，Ｓ１１に示すように，利用者は操作パネル６へ移動する。さらに，操作パネル６で必要な入力を行う（Ｓ１２）。
【００３５】一方このとき，コンピュータ２８は，図５に示すように動作する。まず，Ｓ１００に示すように，ディスプレイ２０に何らかの入力を利用者に催促する内容を表示する。図９は，そのときのディスプレイ２０の画面の表示内容例を示す。続いて，代金が投入される（Ｓ２００）か，商品番号の入力または商品タグの挿入（Ｓ３００），個数ボタンの入力（Ｓ４００）のいずれかがなされるのを待つ。いずれかの入力がなされたとき，それぞれ次の動作を行なう。代金が投入された場合は（Ｓ２００：ＹＥＳ），図６の（Ａ）に進む。あるいは，商品番号の入力または商品タグの挿入があった場合は（Ｓ３００：ＹＥＳ），図７の（Ｂ）に進む。あるいは，個数ボタンが入力された場合は（Ｓ４００：ＹＥＳ），図７の（Ｃ）に進む。【００３６】図６に示すように，代金が投入された場合は（Ｓ２００：ＹＥＳ），まず，投入された金額を記憶し，ディスプレイ２０に表示する（Ｓ２０１）。次に，商品３の指定が終了しているかどうか調べる（Ｓ２０２）。商品３の指定が終了している場合は（Ｓ２０２：ＹＥＳ），全ての入力が終了しているので図８の（Ｄ）に進む。商品３の指定が終了していない場合は（Ｓ２０２：ＮＯ），商品指定を要求する内容がディスプレイ２０に表示される（Ｓ２０３）。ここで，商品番号の入力または商品タグの挿入（Ｓ２０４），個数ボタンの入力（Ｓ２０５）のいずれかがなされるのを待つ。ここで，商品番号の入力または商品タグの挿入がなされた場合は（Ｓ２０４：ＹＥＳ），図７の（Ｂ）へ，個数ボタンの入力がなされた場合は（Ｓ２０５：ＹＥＳ），図７の（Ｃ）へ進む。
【００３７】図７の（Ｂ）に示すように，商品番号の入力または商品タグの挿入があった場合は（Ｓ３００：ＹＥＳ），まず，入力された内容を記憶し，ディスプレイ２０に表示する（Ｓ３０１）。ここで，商品タグの挿入の場合は，商品番号を特定桁数すべて入力したのと同じであり（Ｓ３０２：ＹＥＳ），商品番号の入力の場合は，さらに入力を受けて（Ｓ３０３），記憶，表示し（Ｓ３０１），特定桁数とする。商品番号が特定桁数分入力されたら（Ｓ３０２：ＹＥＳ），商品３が決定するので，その商品名と価格を表示し（Ｓ３０４），商品３の指定が終了であれば，終了ボタンを押してもらうよう表示し，催促する（Ｓ３０５）。
【００３８】あるいは，直前の商品指定に誤りがあったとき，訂正ボタンが押される（Ｓ３０６：ＹＥＳ）。この場合は，いま記憶している最近の商品指定を取り消す（Ｓ３０７）。終了でも訂正でもない場合は，次の商品指定を入力する。商品番号の入力または商品タグの挿入が行なわれた場合は（Ｓ３０８：ＹＥＳ），図７の（Ｂ）へ，個数ボタンが入力された場合は（Ｓ３０９：ＹＥＳ），図７の（Ｃ）へ進む。なお，個数は特に指定されない場合は１個と判断する。
【００３９】商品３の指定が終了した場合は（Ｓ３０５：ＹＥＳ），指定された商品３の商品名，価格及び合計金額を表示する（Ｓ３１０）。さらに，代金が既に投入されているか調べ，投入済みで有れば（Ｓ３１１：ＹＥＳ），全入力が終了であるので図８の（Ｄ）へ進む。代金が投入済みでなければ（Ｓ３１１：ＮＯ），代金投入要求の表示を行ない（Ｓ３１２），代金の投入を待つ（Ｓ３１３）。代金が投入されたら（Ｓ３１３：ＹＥＳ），図６の（Ａ）へ進む。
【００４０】図７の（Ｃ）に示すように，個数ボタンが入力された場合は（Ｓ４００：ＹＥＳ），入力された個数を記憶し，ディスプレイ２０に表示する（Ｓ４０１）。さらに，商品３の指定が終了していれば（Ｓ４０２：ＹＥＳ），商品内容と個数を併せて表示する（Ｓ３０４）。商品３の指定が終了していないときは（Ｓ４０２：ＮＯ），商品３の指定を求める表示を行ない（Ｓ４０３），商品番号または商品タグの入力を待ち（Ｓ４０４），入力があれば，図７の（Ｂ）に進む。
【００４１】図８に示すように，順序に係わらず，代金，商品指定の全ての手続が終了したとき，（Ｄ）に進む。まず，Ｓ５０１で，指定された全ての内容を表示する。図１０は，そのときのディスプレイ２０の画面の表示内容例を示す。図１０に示すように，ディスプレイ２０には，商品名，個数，価格，合計金額，及び投入金額が表示される。さらに，利用者はその内容を確認し，確認ボタンを入力する。ここで，確認ボタンでなく，取消ボタンが押された場合は（Ｓ５０２：ＮＯ），今までの入力をすべて取り消し，投入代金を返却する（Ｓ５０３）。確認された場合は，代金が不足であれば更に投入要求し（Ｓ５０４），投入金額が合計金額以上となるようにする。
【００４２】確認ボタンが押され，さらに代金が不足しない時，コンピュータ２８は料金を精算し，その精算結果に基づいてレシート機２５，つり銭機３２及びディスプレイ２０を駆動する。即ち，コンピュータ２８は販売明細をレシート機３２によりレシートに打ち出させ，つり銭がある場合には，必要なつり銭をつり銭機３２により払い出させる。併せて，コンピュータ２８は，料金の精算結果と，つり銭及びレシートの受け取りを促す指示とをディスプレイ２０の画面に表示する。さらに，コンピュータ２８は商品３の内容をロボット用コンピュータ２９へ出力する。ロボット用コンピュータ２９は，コンピュータ２８から出力された商品３の内容に基づき，商品３を商品取出口２３へ排出させる（Ｓ５０５）。
【００４３】従って，利用者は図４のＳ１３に示すように，つり銭口２４及びレシート取出口２５から出されたつり銭及びレシートを受け取る。また，商品取出口２３に排出された商品３を受け取り，商品３の購入を完了する。」
「【００４８】以上説明したように，この実施の形態によれば，利用者は，汎用自販機２に対し，代金の投入，商品番号の入力または商品タグの挿入，個数ボタン入力等の何れの入力によって操作を開始しても，その操作が有効となる。このため，機械の指定に従って利用者が操作するのでなく，利用者の好みの順で入力操作することができ，購入操作が簡単且つ快適なものとなる。」
「【００５２】（３）前記実施の形態では，代金として，貨幣の入力を受けるとしたが，プリペイドカード等の貨幣に代わるカードを利用できるようにしてもよい。」
「【００５４】【発明の効果】上記請求項１の発明では，代金受入手段に対する代金の投入入力または商品指定手段に対する商品の指定入力のいずれが先になされた場合でも，その入力を受け入れ，記憶する。このため，利用者が代金の投入を先に行なっても，あるいは，商品の指定を先に行なっても，いずれも自動販売機に対する入力として受け入れられ，有効となる。従って，自動販売機が利用者に入力順を指定する事なく，利用者の好みの順に入力することが出来るので，快適に使用できるという効果を発揮する。」
「【００５８】上記請求項５の発明によれば，請求項１乃至請求項４のいずれか１つの発明の構成において，入力を受け入れ，記憶した時，表示手段が他の入力を促す表示をする。従って，終了していない入力を表示するので，残っている入力を忘れることが無い。この結果，利用者は順不同に入力しても残りの入力が分かり，さらに快適に使用できるという効果を発揮する。
【００５９】上記請求項６の発明によれば，請求項１乃至請求項５のいずれか１つの発明の構成において，一定の条件を満たす入力を全て受け入れ，記憶した時，商品排出手段が商品を排出する。従って，必要な全ての入力を受け入れたとき，利用者が希望する商品を排出するので，利用者は必要な入力を順不同で入力するだけでよく，さらに快適に使用できるという効果を発揮する。」
　
（２）引用例２に記載の事項
　引用例２には以下の事項が記載されている。
「【０００１】【発明の属する技術分野】本発明は，ＩＣカード，ＩＣタグ等の非接触データキャリアを使用して商品を購入することのできる自動販売機システムに関する。」
「【０００３】そこで，上述のようなカード操作の煩雑さを少なくするために，非接触式カードをプリペイドカードとして用いて商品を購入（販売）できるようにした自動販売機が提案されている。例えば，特開平６−１７６２５１号公報に開示されている自動販売機の制御方法は，自動販売機主制御部，ＩＣカード制御部及びアンテナを設け，商品が同一価格のときはＩＣカードからその価格に相当する一定金額を減算した後に商品搬出を行なう第１の制御方式に切換え，同一価格でないときはＩＣカードに含まれる金額を自動販売機主制御部に移し，商品が搬出された後にその商品の価格に応じてＩＣカードの精算を行なう第２の制御方式に切換えるようになっている。即ち，販売する商品の金額が同一値段のものであれば，利用者が自動販売機の前に立って商品選択ボタンを押すとＩＣカードからデータを読出し，設定分の金額を減算した額を書込んで後に商品を投出し，販売する値段が異なる場合には，利用者が自動販売機の前に立って商品選択ボタンを押すと，ＩＣカード内の残額を一旦自動販売機側に移してＩＣカード内の残額を０とし，商品の投出が終了してから返金レバーを操作したときに販売金額を減算した残額をＩＣカードに書込むようにし，更に両者の動作をスイッチで切換えるようにしている。」
「【０００８】図１は本発明を適用した自動販売機システムの主要部の構成の一例を示すブロック図であり，図２はその外観構成の一例を示している。この自動販売機システムは，従来から利用されているプリペイドカードの代わりに，図３に示すような非接触データキャリア３０（リストバンド形状の非接触ＩＣタグ，ペンダント形状の非接触ＩＣタグ，非接触ＩＣカード等）を用いて商品を購入できるようにしたものであり，親機２００と子機１００とから構成されている。親機２００は，従来から使用されている一般的な現金による自動販売機（以下，「自動販売機部」と言う）であり，図２に示すように，自動販売機部２００の前面パネルには，販売商品１のサンプル棚が設けられており，その下方には所望の商品を選択して購入するための商品選択ボタン２１０，一般的な現金販売による現金投入口２２１，返却レバー２２２，表示部２３０，投出された商品を取出すための取出口２４１等が設けられている。なお，自動販売機部２００において，図１の破線で示される貨幣処理部２２０，返却レバー２２２，残額等を表示するための表示部２３０及び図２の現金投入口２２１は，一般的な現金販売も併用できるようにした場合の構成を示しており，非接触データキャリアのみを対象とした場合は不要となる。また一般のものは，子機１００はプリペイドカードの処理部となっていて，ジュース，たばこの販売システムを構成している。」
　
（３）　引用例３に記載の事項
「【０００６】【課題を解決するための手段】本発明は上記従来技術の課題を解決するための具体的手段として，金額情報を有する非接触式カードによって商品を販売する自動販売機において，カードが所定距離内に接近すると該カードの金額情報によって販売可能な商品を表示し，商品選択スイッチが操作されたときカード金額から選択商品の金額を減算し，減算結果が負でないときに限って商品の排出とカード金額を前記減算結果に書き換えることを特徴とする自動販売機の販売制御装置と，
【０００７】金額情報と暗証コードとを有する非接触式カードによって商品を販売する自動販売機において，カードが所定距離内に接近し，カードから受信した暗証コードとテンキーなどによって入力された暗証コードとが一致したとき，前記カードの金額情報によって販売可能な商品を表示し，商品選択スイッチが操作されたときカード金額から選択商品の金額を減算し，減算結果が負でないときに限って商品の排出とカード金額を前記減算結果に書き換えることを特徴とする自動販売機の販売制御装置を提供することにより，前記した従来技術の課題を解決するものである。」
「【００１０】【実施例】図１は，金額情報を保有する非接触式のプリペイドカードＣ（以下，単にカードと記す）によって商品の購入操作が行われる自動販売機Ｍの一システム構成例を示しており，自動販売機Ｍは送信部Ｍ１，受信部Ｍ２，主制御部Ｍ３，価格データ部Ｍ４，顧客に販売可能なコラムを示すためのランプなどを有する接客部Ｍ５，販売部Ｍ６，販売データ記録部Ｍ７とから構成され，カードＣは受信部Ｃ１，制御部Ｃ２，送信部Ｃ３，金額データ部Ｃ４とから構成され，自動販売機ＭとカードＣとは電波，磁気，光，音などによって金額情報などをやり取りする構成である。」
「【００１２】自動販売機Ｍは受信部Ｍ２が受信したカードＣからの金額情報を主制御部Ｍ３で判定し，カードＣの残金で販売することのできる商品の有無を調べ，販売可能な商品があればこれを示すランプなどを接客部Ｍ５に点灯させる。この状態で，購入商品を選択するために接客部Ｍ５に設置されているスイッチが購入者によって操作されると，主制御部Ｍ３は販売部Ｍ６より当該商品を排出して販売が実行される。」
「【００１６】図２は，上記システム構成からなる自動販売機Ｍの販売方法の一具体例をフローチャートによって示したものである。
【００１７】電源が投入されて待機状態にある自動販売機Ｍは，金額情報を有するカードＣの接近を常時サーチしており，カードＣが接近して自動販売機Ｍとの距離が所定距離（例えば，１ｍ）以内になると，送信部Ｍ１が送信している信号，例えば電波がカードＣの受信部Ｃ１で受信され，カードＣにおいては制御部Ｃ２が機能し，金額データ部Ｃ４に記録している金額情報が送信部Ｃ３から自動販売機Ｍに向けて送信される。このとき，金額データ部Ｃ４の金額は制御部Ｃ２によって一旦０円に書き換えられる。」
　
２　引用例１に記載の発明
　上記引用例１に記載の事項及び図３乃至図８を技術常識を考慮に入れながら本件出願の発明に照らして整理すると，引用例１には以下の発明（以下「引用発明」という。）が記載されていると認める。
「商品を指定するためのキーボード２１ないし各商品の近くに配列されている商品タグの挿入による商品指定手段と，指定された商品を搬出するための商品取出用のロボット９と，販売待機状態において先に商品指定手段による指定かあるいは先に紙幣ないしコインの挿入による代金投入かを判別する手段と，該手段により，販売待機状態において先に商品指定手段による指定であると判別したときには商品指定後に代金投入とその精算を行い，販売待機状態において先に代金投入であると判別したときにはその後に商品指定を要求する手段とを備えてなる自動販売機。」（引用発明）
　
第３　対比
　本件出願の発明と引用発明とを対比すると以下のとおりである。
　引用発明の「商品を指定するためのキーボード２１ないし各商品の近くに配列されている商品タグの挿入による商品指定手段」は，本件出願の発明の「商品を選択するための商品選択手段」に相当し，以下同様に，「指定された商品を搬出するための商品取出用のロボット９」は「選択された商品を搬出するための商品搬出手段」に，「商品指定を要求する手段」は「商品選択を促す手段」に，「精算」は「決済」に相当することが明らかである。
　また，引用発明の「紙幣ないしコイン」は，商品を購入するための価値媒体であるという限りで，本件出願の発明の「非接触式端末」と共通しており，引用発明において，紙幣ないしコインの挿入による代金投入を行うことは，商品を購入するための価値媒体の投入であるという限りで，本件出願の発明において，交信手段と非接触式端末とが交信を行うことと共通している。           
　そうしてみると，本件出願の発明と引用発明とは以下の一致点と相違点とを有していると云うことができる。
［一致点］
　商品を選択するための商品選択手段と，選択された商品を搬出するための商品搬出手段と，販売待機状態において先に商品選択手段による選択かあるいは先に価値媒体の投入かを判別する手段と，該手段により，販売待機状態において先に商品選択手段による選択であると判別したときには商品選択後に価値媒体との決済を行い，販売待機状態において先に価値媒体の投入であると判別したときにはその後に商品選択を促す手段とを備えてなる自動販売機である点。
［相違点］
　本件出願の発明では，価値媒体が非接触式端末であって，非接触式端末と常時交信可能な状態とする交信手段を備えており，価値媒体の投入が非接触式端末との交信ないし非接触式端末による交信であって，非接触式端末との交信が正常に行われた後，残額表示を行う手段を備えているのに対して，引用発明では，価値媒体が紙幣ないしコインであって，本件出願の発明のような交信手段及び残額表示を行う手段を備えていない点。
　
第４　相違点についての検討
　自動販売機において，商品を購入するための価値媒体として交信手段と交信可能な非接触式端末を採用することは，原査定の拒絶の理由で引用した上記引用例２及び引用例３（上記第２　１　引用例に記載の事項（２）及び（３）参照）に示されているように従来周知の事項であり，また，引用例１の段落【００５２】に，商品を購入するための価値媒体として貨幣以外の他の価値媒体を利用できることも記載されており，そうすると，これら従来周知の事項を引用発明に適用して，その価値媒体として紙幣ないしコインに代えて従来周知の非接触式端末を採用することは格別困難とは云えない。そして，非接触式端末を商品を購入するための価値媒体として使用する自動販売機において，残額表示を行う手段を設けることは周知の事項，例えば，原査定の際に周知例として挙げられた特開平１０−７９０７６号公報に「【００１５】・・・利用者が自動販売機３００で商品を買う場合には，発行機１００で購入した非接触データキャリア３０をリーダライタ４０の前に接近させるので，自動販売機３００は常時非接触データキャリアが有るか否かを検知しており（ステップＳ３００），非接触データキャリア３０が接近した場合にはそのデータをアンテナ４１を介して駆動処理回路４２で読出し（ステップＳ３０１），読出した接触データキャリア３０の残高額を表示部３０５に表示する（ステップＳ３０２）。」と示されているように，従来周知の事項であるから，引用例に記載された自動販売機の発明の価値媒体としての紙幣ないしコインに代えて非接触式端末を採用する際，残額表示を行う手段を設けることは，当業者が必要に応じて適宜採用することができたことである。
　そして，上記引用例３の段落【０００６】，段落【００１２】，及び段落【００１７】に記載されているように，販売待機状態において商品選択より先に非接触式端末との交信を可能とするためには，自動販売機と非接触式端末との交信手段は常時交信可能な状態にすることが必要であることは明らかであるから，これらの交信手段として，「非接触式端末と常時交信可能な状態とする交信手段」とすることは，引用発明の自動販売機の価値媒体として紙幣ないしコインに代えて非接触式端末を採用する際，当業者が困難なく採用することができたことである。
　また，本件出願の発明の採用する構成によってもたらされる効果も，引用例記載の発明及び上記従来周知の各事項から当業者であれば予測できる程度のものであって格別のものではない。
　
第５　むすび
　したがって，本件出願の発明は，引用例記載の発明及び従来周知の事項に基づいて当業者が容易に発明をすることができたものであるから，特許法第２９条第２項の規定により特許をすることができない。
　よって，本件出願のその余の請求項に係る発明について検討するまでもなく，本件出願は拒絶されるべきであるから，結論のとおり審決する。